(57)【特許請求の範囲】
【請求項１】
緩衝性の板材で形成され、被梱包品とともに梱包箱内に収容される梱包材であって、
一の平面に沿って形成された基部と、
前記基部の一の主面に沿う空間の三方を囲む緩衝部と、を備え、
前記緩衝部は、
前記基部に対して第１屈曲部を介して連なり、前記基部から前記基部の前記主面側へ起立し、起立方向に沿う一方の第１側縁から前記基部に沿って第１切れ込みが形成された第１縦板部と、
前記基部に対して第２屈曲部を介して連なり、前記基部から前記基部の前記主面側へ起立し、前記第１縦板部に対向して形成された第２縦板部と、
前記第２縦板部に対し、前記第２縦板部の起立方向に沿って形成された第３屈曲部を介して連なり、前記第３屈曲部から前記第１縦板部における前記第１側縁の反対側の第２側縁に沿う第４屈曲部までに亘って形成された第３縦板部と、
前記第３縦板部に対して前記第４屈曲部を介して連なり、前記第１縦板部における前記第２縦板部に対向する面の反対側の面に重なって形成された第４縦板部と、
前記第４縦板部に対し、前記第１切れ込みに沿って形成された第５屈曲部を介して連なり、前記第５屈曲部から前記第１切れ込み内を経て前記基部の前記主面に重なる範囲に亘って形成され、前記第１縦板部における前記第１切れ込みの底の部分が挿入された第２切れ込みが形成された鉤状部と、を備える梱包材。
【請求項２】
前記第３縦板部における前記基部の前記主面に対向する縁に、前記第４屈曲部側から前記基部に沿って形成された欠け部が形成されており、
前記欠け部の前記基部に沿う方向の幅は、前記第１縦板部の前記基部からの起立方向の高さよりも大きい、請求項１に記載の梱包材。
【請求項３】
前記第１縦板部の外縁における前記第２側縁と前記第１屈曲部に対して反対側の頭頂の縁との間に傾斜した縁が形成されている、請求項２に記載の梱包材。
【請求項４】
一対の前記緩衝部が前記基部の長手方向の両端部に形成されており、
一対の前記緩衝部の前記第３縦板部は、前記基部の長手方向の中央側に形成されており、
前記基部の長手方向の中央から一対の前記緩衝部各々を見た場合における前記緩衝部の各構成要素の左右の位置関係が同じである、請求項１から請求項３のいずれか１項に記載の梱包材。
【発明の詳細な説明】
【技術分野】
【０００１】
本発明は、緩衝性の板材で形成された梱包材に関する。
【背景技術】
【０００２】
一般に、段ボールなどの緩衝性の板材で形成された梱包材が、被梱包品とともに直方体状の梱包箱に収容される場合が多い。前記梱包材は、予め罫線が形成された平坦な母材を前記罫線に沿って折り曲げる作業によって作製される。前記梱包箱も、段ボールなどの緩衝性の板材で形成されている。
【０００３】
例えば、前記梱包材が、差し込み構造などによって他の前記梱包部材と連結される場合がある。一方、前記梱包材が、他の前記梱包部材と連結されない独立した部材であることもある。
【０００４】
他の部材から独立した前記梱包材は、前記被梱包品と前記梱包箱の内側面との隙間に挿入される。これにより、前記梱包材は、前記被梱包品と前記梱包箱の内側面との間隔を維持するスペーサー部材として機能する（例えば、特許文献１参照）。さらに、前記梱包材は、落下などによって前記梱包箱が受ける外力に応じて潰れることにより、前記被梱包品に伝わる衝撃を緩和する。
【先行技術文献】
【特許文献】
【０００５】
【特許文献１】特開２０１３−２２８５０５号公報
【発明の概要】
【発明が解決しようとする課題】
【０００６】
ところで、他の部材から独立した前記梱包材は、上下および左右に板状部を有する角筒状に形成される場合が多い。この場合、前記梱包材は、外力を受ける方向に沿って形成された一対の前記板状部が潰れることにより、緩衝機能を発揮する。
【０００７】
しかしながら、前記梱包材の角筒状の部分は、外力を受けたときに、断面形状が長方形から平行四辺形に変形しやすい。即ち、外力を受ける方向に沿って形成された一対の前記板状部が、潰れる前に、外力の方向に交差する方向へ倒れやすい。そうすると、前記梱包材が、本来の緩衝性能を発揮しないおそれがある。
【０００８】
また、前記梱包材が作製および解体される際に、前記母材が、予め形成された前記罫線とは異なる部分で折り曲げられることが多い。そうすると、前記母材が劣化し、前記梱包材の再利用が難しくなる。
【０００９】
従って、前記梱包材の再利用性を高めるためには、前記梱包材が前記母材から作製される過程、および、前記梱包材が元の前記母材へ解体される過程において、材料が劣化しにくいことが望ましい。
【００１０】
本発明の目的は、梱包材が外力を受ける方向に沿って形成された板状部を有する場合に、前記板状部が倒れることによる緩衝性能の悪化を回避でき、さらに、前記梱包材の作製および解体の過程における材料の劣化が生じにくい梱包材を提供することにある。
【課題を解決するための手段】
【００１１】
本発明の一の局面に係る梱包材は、緩衝性の板材で形成され、被梱包品とともに梱包箱内に収容される部材である。前記梱包材は、基部および緩衝部を備える。前記基部は、一の平面に沿って形成された部分である。前記緩衝部は、前記基部の一の主面に沿う空間の三方を囲む部分である。前記緩衝部は、第１縦板部と、第２縦板部と、第３縦板部と、第４縦板部と、鉤状部とを備える。前記第１縦板部は、前記基部に対して第１屈曲部を介して連なり、前記基部から前記基部の前記主面側へ起立した部分である。前記第１縦板部には、起立方向に沿う一方の第１側縁から前記基部に沿って第１切れ込みが形成されている。前記第２縦板部は、前記基部に対して第２屈曲部を介して連なり、前記基部から前記基部の前記主面側へ起立した部分である。前記第２縦板部は、前記第１縦板部に対向して形成されている。前記第３縦板部は、前記第２縦板部に対し、前記第２縦板部の起立方向に沿って形成された第３屈曲部を介して連なる部分である。前記第３縦板部は、前記第３屈曲部から前記第１縦板部における前記第１側縁の反対側の第２側縁に沿う第４屈曲部までに亘って形成されている。前記第４縦板部は、前記第３縦板部に対して前記第４屈曲部を介して連なる部分である。前記第４縦板部は、前記第１縦板部における前記第２縦板部に対向する面の反対側の面に重なって形成されている。前記鉤状部は、前記第４縦板部に対し、前記第１切れ込みに沿って形成された第５屈曲部を介して連なる部分である。前記鉤状部は、前記第５屈曲部から前記第１切れ込み内を経て前記基部の前記主面に重なる範囲に亘って形成されている。前記鉤状部には、前記第１縦板部における前記第１切れ込みの底の部分が挿入された第２切れ込みが形成されている。
【発明の効果】
【００１２】
本発明によれば、梱包材が外力を受ける方向に沿って形成された板状部を有する場合に、前記板状部が倒れることによる緩衝性能の悪化を回避でき、さらに、前記梱包材の作製および解体の過程における材料の劣化が生じにくい梱包材を提供することが可能になる。
【図面の簡単な説明】
【００１３】
【図１】図１は、実施形態に係る梱包材の斜視図である。
【図２】図２は、実施形態に係る段ボールの目方向が記された梱包材の斜視図である。
【図３】図３は、実施形態に係る梱包材の展開図である。
【図４】図４は、作製途中の実施形態に係る梱包材の斜視図である。
【図５】図５は、実施形態に係る梱包材および内梱包容器の斜視図である。
【図６】図６は、被梱包品を収容する内梱包容器の一例の斜視図である。
【図７】図７は、参考例に係る梱包材の展開図である。
【図８】図８は、参考例に係る梱包材の側面図である。
【発明を実施するための形態】
【００１４】
以下、添付図面を参照しながら、本発明の実施形態について説明する。なお、以下の実施形態は、本発明を具体化した一例であって、本発明の技術的範囲を限定する性格を有さない。
【００１５】
［梱包材１の構成］
まず、図１〜３を参照しつつ、実施形態に係る梱包材１の構成について説明する。梱包材１は、緩衝性の板材で形成された部材である。本実施形態において、前記板材は、段ボールである。なお、段ボール以外の緩衝性の板材が採用されることも考えられる。後述するように、梱包材１は、被梱包品９とともに梱包箱６内に収容される（図５参照）。
【００１６】
梱包材１は、予め罫線が形成された平坦な母材１０を前記罫線に沿って折り曲げる作業によって作製される（図３参照）。図３に示される展開図は、平坦な母材１０の平面図でもある。
【００１７】
図３において、２点鎖線が前記罫線を表す。図３に示される全ての前記罫線は、谷折りの折り目となる部分である。また、図３において、実線は母材１０の外形および母材１０に形成されたスリットを表す。また、ハッチングが記された部分は、母材１０に形成された開口である。図３と図１，２とにおいて、相互に対応する部分には、同じ参照符号が付されている。
【００１８】
図１に示されるように、梱包材１は、基部２および緩衝部３を備える。本実施形態において、一対の緩衝部３が、基部２の長手方向の両端部に形成されている。
【００１９】
基部２は、一の平面に沿って形成された平坦な部分である。緩衝部３は、基部２における一方の面の側に起立して形成されている。以下の説明において、基部２における緩衝部３が形成されている側の面を第１主面２ａと称し、基部２における第１主面２ａに対し反対側の面を第２主面２ｂと称する。
【００２０】
緩衝部３各々は、基部２の第１主面２ａに沿う空間の三方を囲む部分である。緩衝部３各々は、第１縦板部３１、第２縦板部３２、第３縦板部３３、第４縦板部３４および鉤状部３５を備える。
【００２１】
第１縦板部３１は、基部２に対して第１屈曲部４１を介して連なり、基部２から第１主面２ａ側へ起立した部分である。即ち、第１屈曲部４１は、基部２と第１縦板部３１との境界線を成す部分である。
【００２２】
第１縦板部３１には、第１切れ込み３１３が形成されている。第１切れ込み３１３は、第１縦板部３１におけるその起立方向に沿う一方の第１側縁３１１から基部２に沿って形成されている。
【００２３】
なお、第１縦板部３１における、第１縦板部３１の起立方向に沿う２箇所の側縁のうち、一方が第１側縁３１１であり、他方が第２側縁３１２である。第２側縁３１２は、第１縦板部３１における第１側縁３１１の反対側の側縁である。
【００２４】
第２縦板部３２は、基部２に対して第２屈曲部４２を介して連なり、基部２から第１主面２ａ側へ起立した部分である。即ち、第２屈曲部４２は、基部２と第２縦板部３２との境界線を成す部分である。第２縦板部３２は、第１縦板部３１に対向して形成されている。
【００２５】
第３縦板部３３は、第２縦板部３２に対し、第２縦板部３２の起立方向に沿って形成された第３屈曲部４３を介して連なる部分である。即ち、第３屈曲部４３は、第２縦板部３２と第３縦板部３３との境界線を成す部分である。
【００２６】
第３縦板部３３は、第３屈曲部４３から第４屈曲部４４までに亘って形成されている。第４屈曲部４４は、第１縦板部３１の第２側縁３１２に沿って屈曲した部分である。
【００２７】
第４縦板部３４は、第３縦板部３３に対して第４屈曲部４４を介して連なる部分である。即ち、第４屈曲部４４は、第３縦板部３３と第４縦板部３４との境界線を成す部分である。第４縦板部３４は、第１縦板部における前記第２縦板部に対向する面の反対側の面に重なって形成されている。
【００２８】
鉤状部３５は、第４縦板部３４に対し、第１切れ込み３１３に沿って形成された第５屈曲部４５を介して連なる部分である。即ち、第５屈曲部４５は、第４縦板部３４と鉤状部３５との境界線を成す部分である。鉤状部３５は、第５屈曲部４５から第１切れ込み３１３内を経て基部２の第１主面２ａに重なる範囲に亘って形成されている。
【００２９】
鉤状部３５には、第１縦板部３１における第１切れ込み３１３の底部３１３０が挿入された第２切れ込み３５１が形成されている。即ち、鉤状部３５は、第５屈曲部４５から第２縦板部３２側へ張り出し、さらに、第１屈曲部４１に沿って第３縦板部３３側へ延びた鉤状に形成されている。
【００３０】
従って、鉤状部３５は、第１縦板部３１における第１切れ込み３１３の底部３１３０に引っ掛かる。鉤状部３５が第１切れ込み３１３の底部３１３０に引っ掛かった状態は、第２切れ込み３５１の底部３５１０と第１切れ込み３１３の底部３１３０とが対向し、第２切れ込み３５１と第１切れ込み３１３とが噛み合った状態である。
【００３１】
鉤状部３５が第１切れ込み３１３の底部３１３０に引っ掛かることにより、第４縦板部３４が第１縦板部３１に重なった状態が維持され、さらに、第１縦板部３１および第４縦板部３４が起立する状態が維持される。
【００３２】
ここで、第１縦板部３１、第２縦板部３２、第３縦板部３３および第４縦板部３４の基部２からの高さを、それぞれ第１高さＨ１、第２高さＨ２、第３高さＨ３および第４高さＨ４と称する。
【００３３】
本実施形態において、第１高さＨ１と第２高さＨ２とが等しい。また、第３高さＨ３は、第１高さＨ１および第２高さＨ２よりも低い。また、第４高さＨ４と第１高さＨ１とが等しい。
【００３４】
［梱包材１の利用方法］
図５において、被梱包品９および梱包箱６が、仮想線（２点鎖線）で示されている。例えば、被梱包品９は、電子写真方式の画像形成装置の部品であるドラムユニット、現像ユニットまたは定着ユニットなどである。
【００３５】
被梱包品９は、段ボールで形成された内梱包容器５に収容される。収容部５１は、その内側に被梱包品９の収容空間５０を形成している。
【００３６】
図５，６に示されるように、内梱包容器５は、底板および四方の側板を有する収容部５１と、収容部５１の外側に形成された複数の緩衝部５２，５３，５４とを備える。
【００３７】
複数の緩衝部５２，５３，５４は、端面緩衝部５２と、側面緩衝部５３と、底面緩衝部５４とを含む。端面緩衝部５２は、内梱包容器５の長手方向の両端面の外側に形成されている。
【００３８】
側面緩衝部５３は、内梱包容器５の両側面の外側に形成されている。なお、内梱包容器５の両側面は、内梱包容器５の短手方向の両端面である。底面緩衝部５４は、内梱包容器５の底面に形成されている。
【００３９】
図５に示されるように、被梱包品９は、内梱包容器５に収容される。さらに、その内梱包容器５が、被梱包品９を内包する状態で、直方体状の梱包箱６に収容される。
【００４０】
また、梱包材１は、内梱包容器５に収容された被梱包品９の上に置かれる。これにより、梱包材１は、被梱包品９とともに梱包箱６内に収容され、被梱包品９の上面と梱包箱６の天板の下面との間隔を維持するスペーサー部材として機能する。梱包材１は、内梱包容器５などの他の梱包部材と連結されない独立した部材である。
【００４１】
図１，５に示されるように、梱包材１の基部２には、基部２の長手方向に交差する方向へ張り出した張出部２１が形成されている。張出部２１は、内梱包容器５の収容部５１に形成された欠け部５１１に挿入される。これにより、梱包材１の位置ズレが防がれる。
【００４２】
ところで、他の部材から独立した従来の梱包材は、上下および左右に板状部を有する角筒状に形成される場合が多い。図７，８に示される参考例に係る梱包材８は、従来の梱包材の典型例である。
【００４３】
梱包材８は、予め罫線が形成された平坦な母材８０を前記罫線に沿って折り曲げる作業によって作製される（図７参照）。図７に示される展開図は、平坦な母材８０の平面図でもある。
【００４４】
図７において、２点鎖線が前記罫線を表す。図７に示される全ての前記罫線は、谷折りの折り目となる部分である。また、図７において、実線は母材８０の外形および母材８０に形成されたスリットを表す。また、ハッチングが記された部分は、母材８０に形成された開口である。図７と図８とにおいて、相互に対応する部分には、同じ参照符号が付されている。
【００４５】
図８に示されるように、従来の梱包材８は、基部８１および緩衝部８２を備える。緩衝部８２は、上下および左右に板状部を有する角筒状に形成されている。
【００４６】
即ち、緩衝部８２は、底板部８６、天板部８４、第１側板部８３および第２側板部８５を有する。また、基部２から切り起こされた係合片８７が、底板部８６から第２側板部８５に亘って形成された開口８８に挿入されている。
【００４７】
係合片８７の根本部以外の部分は、開口８８の幅よりも広い幅で形成されている。係合片８７が。開口８８の縁部に引っ掛かることにより、緩衝部８２が角筒状に維持される。図７，８に示される例では、一対の緩衝部８２が、基部８１の長手方向の両端部に形成されている。
【００４８】
上記の場合、梱包材８は、外力Ｆ０を受ける方向に沿って形成された一対の側板部８３，８５が潰れることにより、緩衝機能を発揮する。
【００４９】
しかしながら、梱包材８の角筒状の緩衝部８２は、外力Ｆ０を受けたときに、断面形状が長方形から平行四辺形に変形しやすい（図８の２点鎖線を参照）。即ち、外力Ｆ０を受ける方向に沿って形成された一対の側板部８３，８５が、潰れる前に、外力Ｆ０の方向に交差する方向へ倒れやすい。そうすると、梱包材８が、本来の緩衝性能を発揮しないおそれがある。
【００５０】
また、梱包材８が作製および解体される際に、母材８０が、予め形成された前記罫線とは異なる部分で折り曲げられることが多い。図７，８に示される例では、係合片８７が、前記罫線とは異なる部分で一時的に折り曲げられてしまう。そうすると、母材８０が劣化し、梱包材８の再利用が難しくなる。
【００５１】
従って、梱包材８の再利用性を高めるためには、梱包材８が母材８０から作製される過程、および、梱包材８が元の母材８０へ解体される過程において、材料が劣化しにくいことが望ましい。
【００５２】
前述したように、梱包材１は、外力Ｆ０を受ける方向に沿って形成された板状部である第１縦板部３１および第２縦板部３２を備える。そして、梱包材１が採用されれば、第１縦板部３１および第２縦板部３２が倒れることによる緩衝性能の悪化を回避できる。さらに、梱包材１は、作製および解体の過程における材料の劣化が生じにくい。以下、梱包材１の作用および効果について説明する。
【００５３】
［梱包材１の作用および効果］
梱包材１において、主として第１縦板部３１および第２縦板部３２が、それらの起立方向に沿って加わる外力Ｆ０を受けたときに潰れることにより、緩衝性を発揮する。なお、第３縦板部３３および第４縦板部３４も、補助的に緩衝性を発揮する。
【００５４】
図２に示される破線は、段ボールの目方向１００を表す。目方向１００は、段ボールのトラス構造における中空の長手方向である。
【００５５】
例えば図２に示されるように、第１縦板部３１および第２縦板部３２の目方向１００が、それらの起立方向に直交する横方向であることが考えられる。これにより、外力Ｆ０に対する緩衝性がより高まる。
【００５６】
なお、第１縦板部３１および第２縦板部３２の目方向１００が前記横方向であれば、第３縦板部３３および第４縦板部３４の目方向１００も、前記横方向となる。
【００５７】
一方、外力Ｆ０に対する緩衝部３の剛性を高めたい場合、第１縦板部３１および第２縦板部３２の目方向１００が、それらの起立方向に沿う縦方向であることが考えられる。これにより、外力Ｆ０に対する剛性が高まる。
【００５８】
梱包材１において、第３縦板部３３が、第２縦板部３２および第４縦板部３４を連結している。そのため、第２縦板部３２および第４縦板部３４が、外力Ｆ０に交差する横方向の力を受けた場合、第３縦板部３３が、その横方向の力に抗して、第２縦板部３２および第４縦板部３４を起立した状態に維持する。また、第３縦板部３３と第２縦板部３２および第４縦板部３４との間の第３屈曲部４３および第４屈曲部４４において折り曲げることで形成される角部によっても、第２縦板部３２、第３縦板部３３、第３縦板部３４は、外力Ｆ０の方向における剛性が高まる。
【００５９】
さらに、鉤状部３５が、第１縦板部３１および第４縦板部３４を重なった状態に維持する。そのため、第４縦板部３４が第３縦板部３３によって起立する状態に維持されれば、第１縦板部３１も起立する状態に維持される。
【００６０】
従って、梱包材１が採用されれば、第１縦板部３１および第２縦板部３２が倒れることによる緩衝性能の悪化を回避できる。
【００６１】
また、図１，３に示されるように、一対の緩衝部３の第３縦板部３３は、基部２の長手方向の中央側に形成されている。さらに、基部２の長手方向の中央から一対の緩衝部３各々を見た場合における緩衝部３の各構成要素の左右の位置関係が同じである。ここで、緩衝部３の各構成要素とは、第１縦板部３１、第２縦板部３２、第３縦板部３３、第４縦板部３４および鉤状部３５のことである。
【００６２】
一対の緩衝部３の各構成要素が、上記のような位置関係で形成されている場合、母材１０の形状が、図３に示されるように比較的正方形に近い形状になる。一方、図７に示されるような従来の梱包材８の母材８０は、細長く形成される。
【００６３】
母材１０の形状が正方形に近い場合、梱包材１が作製および解体される際などにおいて、母材１０を取り扱いやすい。
【００６４】
また、母材１０からの梱包材１の作製手順は、例えば以下の通りである。まず、母材１０が前記罫線に沿って折り曲げられることにより、各屈曲部４１〜４５が形成される。
【００６５】
次に、図４に示されるように、第１縦板部３１が基部２の第１主面２ａ側へ斜めに倒れるように押さえられた状態で、鉤状部３５が第１縦板部３１の第１切れ込み３１３に引っ掛けられる。その後、第１縦板部３１が、基部２から直立する方向、即ち、第４縦板部３４に重なる方向へ引き起こされる。これにより、第１縦板部３１が、第３縦板部３３と鉤状部３５における第１切れ込み３１３の底部３１３０との間に挟み込まれる。なお、梱包材１は、梱包材１の作製の手順と逆の手順で解体可能である。
【００６６】
梱包材１が母材１０から上記のように作製される場合、母材１０が前記罫線とは異なる部分で折り曲げられる工程は生じない。そのため、梱包材１の作製および解体が繰り返されても、材料が劣化しにくい。そのため、梱包材１は、高い再利用性を有している。
【００６７】
また、図１，３，４に示されるように、第３縦板部３３における基部２の第１主面２ａに対向する縁に、欠け部３３１が形成されている。欠け部３３１は、第４屈曲部４４側から基部２に沿って形成されている。
【００６８】
欠け部３３１の基部２に沿う方向の幅Ｗ１は、第１高さＨ１よりも大きい（図１参照）。この場合、図４に示される手順において、第１縦板部３１における第２側縁３１２側の端部が、第３縦板部３３の下方を潜りやすい。
【００６９】
従って、鉤状部３５を第１縦板部３１の第１切れ込み３１３に引っ掛ける工程、および、鉤状部３５を第１切れ込み３１３から外す工程を円滑に行うことができる。さらに、第１縦板部３１が第３縦板部３３に引っ掛かることによる母材１０の不測の劣化が生じにくい。
【００７０】
また、図１，３，４に示されるように、第１縦板部３１の外縁に傾斜縁３１５が形成されている。傾斜縁３１５は、第１縦板部３１の外縁における第２側縁３１２と頭頂の縁３１４との間に形成された傾斜した縁である。なお、頭頂の縁３１４は、第１屈曲部４１に対して反対側の縁である。
【００７１】
傾斜縁３１５が形成されている場合、図４に示される手順において、第１縦板部３１における第２側縁３１２側の端部が、第３縦板部３３の下方をより潜りやすくなる。従って、鉤状部３５を第１縦板部３１の第１切れ込み３１３に引っ掛ける工程、および、鉤状部３５を第１切れ込み３１３から外す工程をより円滑に行うことができる。
【００７２】
[応用例]
図１に示される梱包材１において、第４高さＨ４が、第１高さＨ１よりも低いことが考えられる。この場合、第１縦板部３１および第２縦板部３２の緩衝性のバランスが均一化されやすい。
【００７３】
また、図１に示される梱包材１において、外力Ｆ０に対する緩衝部３の剛性を高めたい場合、第３高さＨ３が、第１高さＨ１および第２高さＨ２と同じ高さで形成されることも考えられる。
【００７４】
なお、本発明に係る梱包材は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００７５】
１        ：梱包材
２        ：基部
２ａ      ：第１主面
２ｂ      ：第２主面
３        ：緩衝部
５        ：内梱包容器
６        ：梱包箱
９        ：被梱包品
１０      ：母材
２１      ：張出部
３１      ：第１縦板部
３２      ：第２縦板部
３３      ：第３縦板部
３４      ：第４縦板部
３５      ：鉤状部
４１      ：第１屈曲部
４２      ：第２屈曲部
４３      ：第３屈曲部
４４      ：第４屈曲部
４５      ：第５屈曲部
５０      ：収容空間
５１      ：収容部
１００    ：目方向
３１１    ：第１縦板部の第１側縁
３１２    ：第１縦板部の第２側縁
３１３    ：第１切れ込み
３１４    ：第１縦板部の頭頂の縁
３１５    ：傾斜縁
３３１    ：欠け部
３５１    ：第２切れ込み
３１３０  ：第１切れ込みの底部
３５１０  ：第２切れ込みの底部
Ｆ０      ：外力
Ｈ１      ：第１高さ（第１縦板部の高さ）
Ｈ２      ：第２高さ（第２縦板部の高さ）
Ｈ３      ：第３高さ（第３縦板部の高さ）
Ｈ４      ：第４高さ（第４縦板部の高さ）
【図１】
0006358239.tif 000002
【図２】
0006358239.tif 000003
【図３】
0006358239.tif 000004
【図４】
0006358239.tif 000005
【図５】
0006358239.tif 000006
【図６】
0006358239.tif 000007
【図７】
0006358239.tif 000008
【図８】
0006358239.tif 000009